(57)【特許請求の範囲】
【請求項１】
柱に固定されて互いに平行に配置された母屋と、前記母屋と前記母屋との間に架け渡された垂木と、前記垂木に沿って配置されたプラスチック発泡体からなる断熱パネルと、を備えた屋根構造において、
前記母屋は、
前記垂木の下方に位置し、前記母屋の表面で長手方向に延在すると共に、前記断熱パネルの端部が収容される断熱パネル用端部収容凹部と、
前記端部収容凹部の長手方向の略全長に渡って連続して延在すると共に、前記端部収容凹部を形成する壁面から突出して前記断熱パネルの前記端部に押し当てられる突起部と、を有することを特徴とする屋根構造。
【請求項２】
前記母屋の上部側に位置する前記端部収容凹部は、前記垂木に対して直交して延在する第１の壁面と、前記第１の壁面に対して略直角に延在する第２の壁面とからなり、
断面矩形の前記母屋は、上面と内側側面と外側側面と下面とを有し、前記母屋には、前記上面と前記内側側面とに渡って形成された第１の端部収容凹部と、前記外側側面に形成された第２の端部収容凹部と、が設けられ、
前記突起部は、前記第２の壁面に形成されていることを特徴とする請求項１記載の屋根構造。
【請求項３】
前記突起部は、断面三角形状をなすことを特徴とする請求項１又は２記載の屋根構造。
【発明の詳細な説明】
【技術分野】
【０００１】
本発明は、屋根断熱が適用された屋根構造に関するものである。
【背景技術】
【０００２】
従来、このような分野の技術として、特開２００２−２８５６８３号公報があり、この公報には、屋根用断熱パネルが記載されている。この断熱パネルは、プラスチック発泡体からなり、断熱パネルの上面には、垂木に嵌合する断面コ字状の垂木嵌合溝部が形成され、断熱パネルの下面の中央には、母屋に嵌合する母屋嵌合溝部が形成され、断熱パネルの下面の両端には、母屋に係止させる係止切欠き部が形成されている。このような断熱パネルは、母屋に対して上から載せるように施工され、断熱パネルを施工した後に、垂木が母屋に固定される。この断熱パネルは、垂木に干渉されることなく、厚くすることができるので、屋根断熱効果を高めることができる。
【先行技術文献】
【特許文献】
【０００３】
【特許文献１】特開２００２−２８５６８３号公報
【発明の概要】
【発明が解決しようとする課題】
【０００４】
しかしながら、前述した断熱パネルは、プラスチック発泡体からなっているので、垂木嵌合溝部や母屋嵌合溝部で割れ易く、取り扱いに注意が必要となり、作業性を悪くする虞がある。また、寸法のバラ付きや反りが発生した断熱パネルを母屋や垂木に無理に嵌め込むと、変形し易い断熱パネルの垂木嵌合溝部や母屋嵌合溝部で、断熱パネルと母屋及び垂木との間に隙間が発生し、その結果、垂木嵌合溝部と母屋嵌合溝部との交差部分の開口を通って空気が流動することになり、このことが断熱効果を低下させる要因になる。また、冬季にあっては、室内で暖められた温流がその隙間を通って漏れることで野地板の裏面で結露が発生する虞がある。
【０００５】
本発明は、断熱パネルに複雑な加工を施すことなく、断熱効果を高めるようにした屋根構造を提供することを目的とする。
【課題を解決するための手段】
【０００６】
本発明は、柱に固定されて互いに平行に配置された母屋と、母屋と母屋との間に架け渡された垂木と、垂木に沿って配置されたプラスチック発泡体からなる断熱パネルと、を備えた屋根構造において、
母屋は、
垂木の下方に位置し、母屋の表面で長手方向に延在すると共に、断熱パネルの端部が収容される断熱パネル用端部収容凹部と、
端部収容凹部の長手方向の略全長に渡って連続して延在すると共に、端部収容凹部を形成する壁面から突出して断熱パネルの端部に押し当てられる突起部と、を有することを特徴とする。
【０００７】
このような屋根構造を適用させることで、断熱パネルは、複雑な加工を必要としないので、断熱パネル本来の強度が維持され、従来のような、割れ易くなったり、取り扱いに注意が必要になったり、作業性を悪くするような欠点が解消されている。更に、母屋の端部収容凹部を形成する壁面に突起部が設けられているので、端部収容凹部内において、母屋と断熱パネルの端部との間に隙間が発生しても、突起部が断熱パネルの端部に押し当てられることで、端部収容凹部内での空気の流動を阻止することができ、これによって、冬季にあっては、室内で暖められた温流が母屋と断熱パネルとの間の隙間を伝って漏れてしまって野地板の裏面で結露を発生させることがなくなり、防湿気密を図ることができる。
【０００８】
また、母屋の上部側に位置する端部収容凹部は、垂木に対して直交して延在する第１の壁面と、第１の壁面に対して略直角に延在する第２の壁面とからなり、断面矩形の母屋は、上面と内側側面と外側側面と下面とを有し、母屋には、上面と内側側面とに渡って形成された第１の端部収容凹部と、外側側面に形成された第２の端部収容凹部と、が設けられ、突起部は、第２の壁面に形成されていると好適である。
このような構成を採用すると、垂木で断熱パネルを押さえ付けることができるので、端部収容凹部の第２の壁面に断熱パネルの端部を確実に押し当てることが可能になる。しかも、この第２の壁面には突起部が形成されているので、突起部と断熱パネルとの密着度を更に高めることができる。
【０００９】
また、突起部は、断面三角形状をなすと好適である。
このような構成を採用すると、突起部を断熱パネルに突き刺すことができ、断熱パネルと突起部との気密度を更に向上させることができる。また、このような突起部は、断熱パネルのズレ防止にも寄与する。
【発明の効果】
【００１０】
本発明によれば、断熱パネルに複雑な加工を施すことなく、断熱効果を高めることができる。
【図面の簡単な説明】
【００１１】
【図１】本発明に係る屋根構造の一実施形態を示す斜視図である。
【図２】母屋に断熱パネル及び垂木を組み付ける前の状態を示す断面図である。
【図３】母屋に断熱パネル及び垂木を組み付けた後の状態を示す断面図である。
【図４】母屋に断熱パネルを組み付ける前の状態を示す斜視図である。
【図５】母屋と断熱パネルとの間に隙間がある状態を示す断面図である。
【発明を実施するための形態】
【００１２】
以下、図面を参照しつつ本発明に係る屋根構造の好適な実施形態について詳細に説明する。なお、棟側を「内側」、軒先側を「外側」と言う。
【００１３】
図１に示されるように、木造住宅の屋根構造にあっては、柱１に固定された母屋２に対して直交する方向に垂木３が釘によって固定されている。垂木３の間を塞ぐようにして断熱パネル４が敷設されている。そして、垂木３の上には野地板が張られ、野地板の上に防水工事として防水シートが貼られ、その上に瓦が敷かれている。なお、この断熱パネル４は、例えば、フェノールフォームなどのプラスチック発泡体からなる。
【００１４】
図２〜図４に示されるように、垂木３の下方に位置する母屋２は、上面２ａと内側側面２ｂと外側側面２ｃと下面２ｄとを有する。そして、母屋２には、母屋２の表面で長手方向（水平方向）に延在すると共に、矩形の断熱パネル４の端部４ａが収容される断熱パネル用端部収容凹部１０と、端部収容凹部１０の長手方向の略全長に渡って延在すると共に、端部収容凹部１０を形成する壁面１２から突出して断熱パネル４の端部４ａに押し当てられる突起部１１と、が形成されている。
【００１５】
母屋２の上部側に位置する端部収容凹部１０は、母屋２の上面２ａと内側側面２ｂとに渡って形成された第１の端部収容凹部１０Ａと、外側側面２ｃに形成された第２の端部収容凹部１０Ｂと、からなる。そして、第１及び第２の端部収容凹部１０Ａ，１０Ｂは、垂木３に対して直交して延在する第１の壁面１２ａと、第１の壁面１２ａに対して略直角に延在する第２の壁面１２ｂとからなる。
【００１６】
第２の壁面１２ｂに形成された突起部１１は、上方に向かって突出する断面三角形状をなしている。このような形状の突起部１１は、断熱パネル４の端部４ａの下面に突き刺すことができ、断熱パネル４と突起部１１との気密度を更に向上させることができる。そして、この突起部１１は、断熱パネル４のズレ防止にも寄与する。
【００１７】
また、母屋２の上側の角は、切欠き面２ｅになるように斜めに切り落とされている。そして、垂木３の下面を母屋２の切欠き面２ｅに当接させるように、母屋２に垂木３を押し当て、釘やビスによって、垂木３を母屋２に固定させる。なお、垂木３の下面側に、母屋２の上側の角が入り込むための断面直角三角形状の切欠き部を形成してもよい。
【００１８】
図２及び図３に示されるように、母屋２の第１及び第２の端部収容凹部１０Ａ，１０Ｂに断熱パネル４の端部４ａを嵌め込んだ後に、垂木３を母屋２に釘やビスで固定させるので、垂木３で断熱パネル４が上から押さえ付けられることになり、第１及び第２の端部収容凹部１０Ａ，１０Ｂの第２の壁面１２ｂに断熱パネル４の端部４ａを確実に押し当てることが可能になる。しかも、この第２の壁面１２ｂには突起部１１が形成されているので、突起部１１と断熱パネル４との密着度を高めることができる。
【００１９】
特に、突起部１１が断面三角形状になっている場合、突起部１１が断熱パネル４の端部４ａの下面に確実にめり込ませることができる。
【００２０】
母屋２には前述した構造が適用されているので、断熱パネル４は、複雑な加工を必要としないので、断熱パネル４本来の強度が維持され、従来のような、割れ易くなったり、取り扱いに注意が必要になったり、作業性を悪くするような欠点が解消されている。
【００２１】
更に、第１及び第２の端部収容凹部１０Ａ，１０Ｂの第２の壁面１２ｂに突起部１１が設けられているので、端部収容凹部１０Ａ，１０Ｂ内において、母屋２と断熱パネル４の端部４ａとの間に隙間Ｓ（図５参照）が発生しても、突起部１１が断熱パネル４の端部４ａに押し当てられることで、端部収容凹部１０Ａ，１０Ｂ内での空気の流動を阻止することができ、これによって、冬季にあっては、室内で暖められた温流が母屋２と断熱パネル４との間の隙間Ｓを伝って漏れてしまって野地板の裏面で結露を発生させることがなくなり、防湿気密を図ることができる。
【００２２】
本発明は、前述した実施形態に限定されないことは言うまでもない。例えば、突起部１１は、断面三角形状に限定されることなく、断面矩形、断面台形、断面半円形であってもよい。
【符号の説明】
【００２３】
１…柱、２…母屋、２ａ…母屋の上面、２ｂ…母屋の内側側面、２ｃ…母屋の外側側面、２ｄ…下面、３…垂木、４…断熱パネル、１０Ａ…第１の端部収容凹部、１０Ｂ…第２の端部収容凹部、１１…突起部、１２ａ…第１の壁面、１２ｂ…第２の壁面。
【図１】
0005926530.tif 000002
【図２】
0005926530.tif 000003
【図３】
0005926530.tif 000004
【図４】
0005926530.tif 000005
【図５】
0005926530.tif 000006